(57)【要約】【課題】ワークトップに配置される種々の電器製品を使用者の望む位置で使い勝手よく使用できるように、コンセントの位置を移動可能とされたコンセント可動吊り戸棚を提供する。【解決手段】吊り戸棚本体３の下面３１後部に下面３１より突出し、下方に開口して設けられた凹溝部４にリール機構によって巻き上げ、巻き下ろし自在とされるコンセント２を有し、上記巻き上げ、巻き下ろしは電源コード１によって行われるとともに、上記電源コード１は左右に移動自在とされたコンセント可動吊り戸棚Ａ。上記凹溝部４の開口部には密目のシール材５が植設され、シールされることが好ましい。【選択図】図１
2009028145.tif 000002
【特許請求の範囲】
【請求項１】
吊り戸棚本体の下面後部に下面より突出し、下方に開口して設けられた凹溝部にリール機構によって巻き上げ、巻き下ろし自在とされるコンセントを有し、上記巻き上げ、巻き下ろしは電源コードによって行われるとともに、上記電源コードは左右に移動自在とされたコンセント可動吊り戸棚。
【請求項２】
上記凹溝部の開口部には密目のシール材が植設され、シールされてなる請求項１に記載のコンセント可動吊り戸棚。
【請求項３】
上記吊り戸棚本体の下面前部には飾り縁を垂設してなる請求項１に記載のコンセント可動吊り戸棚。
【請求項４】
上記吊り戸棚本体がキッチンキャビネットと組み合わせて用いられる請求項１に記載のコンセント可動吊り戸棚。
【発明の詳細な説明】
【技術分野】
【０００１】
本発明は、吊り戸棚に関する。さらに詳しくは、キッチンルーム等で使用され、コンセントを備えたコンセント可動吊り戸棚に関する。
【背景技術】
【０００２】
近年、生活の多様化、家族構成の変化等に対応するため、キッチンにおいて使用される電器製品の種類が増し、電源コンセントの数や設置個所についても種々のニーズが寄せられている。従来、一般的に、例えばキッチンに設けられるコンセントは本願図７に示されるように、公知の吊り戸棚Ｂが取着された壁面に固定して設けられている。
【０００３】
しかしながら、種々の電器製品が普及するとともに、上記のようにコンセント２ａが固定された状態では、延長コードを使用して上記電器製品の電源プラグと接続する必要があり、使い勝手が悪いという問題がある。そこで、コンセントを移動自在に設け、使用者がより便利に上記電器製品を使えるように各種提案が開示されている。
【０００４】
例えば、下記特許文献１には、吊り戸棚の下面に、この吊り戸棚が設けられている壁面と平行なガイドレールと、このガイドレールに移動できるように保持したスライダとを備え、各種の形態のラックから上方に延びる金属製支持線材の上端部をスライダに嵌め合わせて着脱できるように係止することにより、各種の形態のラックをガイドレールに移動できるように吊持したことを特徴とする移動ラック装置が開示され、上記吊り戸棚の下面の前縁部に飾り縁を設け、この飾り縁の後部に、飾り縁とほぼ同じ高さのコンセントを設けた形態が示されている。
【０００５】
そして上記飾り縁とほぼ同じ高さのコンセントを設ける構成のものによれば、ガイドレールによるラックの支持構造部分を、飾り縁によって前面側から覆い隠して装飾でき、ガイドレールとの間のスペースを有効利用してコンセントを設けて流し台等で使用される電器製品の電源供給部とすることができ、しかも、コンセントは飾り縁とほぼ同じ高さを有していることにより、これが飾り縁によって前面側から覆われて人目につかずコンセントが局部的に突出することによって体裁が悪くなることを回避することができると述べられている。
【特許文献１】特許第３５７９４７２号公報（第１〜２頁、第１、第２図、第６図）
【発明の開示】
【発明が解決しようとする課題】
【０００６】
しかしながら、上記特許文献１に記載のコンセントは、その第６図に示されているように、飾り縁とほぼ同じ高さの高い位置にあり、手を伸ばして電器製品の電源プラグを着脱する必要があるため、必ずしも使い勝手がよいものとはいえない。
【０００７】
本発明はこのような問題を解決するために考え出されたものであり、カウンターのワークトップに配置される種々の電器製品を使用者の望む位置で使い勝手よく使用できるように、コンセントの位置を移動可能に設けられたコンセント可動吊り戸棚を提供することを、その課題とする。
【課題を解決するための手段】
【０００８】
上記課題を解決するために、本発明においては、つぎのような技術的手段を講じている。すなわち、請求項１に記載の発明によれば、吊り戸棚本体の下面後部に下面より突出し、下方に開口して設けられた凹溝部にリール機構によって巻き上げ、巻き下ろし自在とされるコンセントを有し、上記巻き上げ、巻き下ろしは電源コードによって行われるとともに、上記電源コードは左右に移動自在とされたコンセント可動吊り戸棚が提供される。上記リール機構は、例えば、家庭用電気掃除機の電源プラグの引き出し、収納に使用されているような公知のリール機構が用いられる。
【０００９】
請求項２に記載のコンセント可動吊り戸棚は、請求項１に記載の発明に加えて、上記凹溝部の開口部には密目のシール材が植設され、シールされる。シール材としては、とくに限定されず、例えば、合成樹脂製の剛性のある繊維類が用いられ、このシール材で上記開口部を覆うように植設し、シールされる。
【００１０】
請求項３に記載のコンセント可動吊り戸棚は、請求項１に記載の発明に加えて、上記吊り戸棚本体の下面前部には飾り縁が垂設される。
【００１１】
請求項４に記載のコンセント可動吊り戸棚は、請求項１に記載の発明に加えて、上記吊り戸棚本体がキッチンキャビネットと組み合わせて用いられる。
【発明の効果】
【００１２】
請求項１に記載の発明にかかるコンセント可動吊り戸棚は上記のとおりであり、吊り戸棚本体の下面後部から下方に開口した凹溝部が突設され、リール機構によって電源コードを介して巻き上げ、巻き下ろし自在とされるコンセントを有しているため、リール機構に付随するラッチを係合、解除することにより、コンセントを上下方向の所望の位置で仮止めすることができる。ラッチを解除して電源コードを上方に巻き上げれば、コンセントを凹溝部内に格納することができる。
【００１３】
また、上記電源コードは左右に移動自在とされているため、吊り戸棚本体の下方で、例えば、キッチンキャビネット上に電器製品を置く場合、その場所に追従するようにコンセントを任意の位置に移動させ、電器製品を使い勝手よく、使用することができる。
【００１４】
請求項２に記載のコンセント可動吊り戸棚は上記のとおりであり、請求項１のコンセント可動吊り戸棚の有する効果に加え、上記凹溝部の開口部には密目のシール材が植設され、シールされているため、湿気や塵、埃等が凹溝部の内部に侵入することを防止できる。
【００１５】
請求項３に記載のコンセント可動吊り戸棚は上記のとおりであり、請求項１のコンセント可動吊り戸棚の有する効果に加え、上記吊り戸棚本体の下面前部には飾り縁が設けられ、例えば、キッチンルーム内で使用者の目線レベルに上記飾り縁を設けることにより、吊り戸棚本体の下面後部に突設された凹溝部を目隠しすることができる。
【００１６】
請求項４に記載のコンセント可動吊り戸棚は上記のとおりであり、請求項１のコンセント可動吊り戸棚の有する効果に加え、吊り戸棚本体をキッチンキャビネットと組み合わせて用いることにより、デザイン性よく、また、快適に調理作業のできるシステムキッチンを提供することができる。
【発明を実施するための最良の形態】
【００１７】
以下、本発明の実施形態について図面を参照して詳細に説明する。図１は、キッチンルームに設けられ、システムキッチンのレンジフード８に並設された本発明にかかるコンセント可動吊り戸棚Ａを示す外観正面図である。図１に示すように、上記コンセント可動吊り戸棚Ａは、キッチンキャビネットＣの上方で壁面に沿って設けられている。図２は、壁面Ｗに沿って設けられた上記コンセント可動吊り戸棚Ａの概略構成を示す側断面図である。
【００１８】
図１、図２に示すように、上記コンセント可動吊り戸棚Ａにおいて、電源コード１に接続されたコンセント２は、吊り戸棚本体３の下面３１の後部に突設された凹溝部４に出し入れ自在に格納される。また、図２に示されているように、凹溝部４の下方に開口する開口部にはブラシ状で密目のシール材５が植設され、湿気や塵、埃等が凹溝部４の内部に侵入しないようにシールされている。なお、密目のシール材５は、柔軟なゴム或いはスポンジなどで形成されてももよい。上記吊り戸棚本体３の下面３１の後部に沿って突設された凹溝部４は、戸棚本体３の下面３１の前部に沿って飾り縁６を垂設することにより、外部から見えないように目隠しされている。
【００１９】
上記電源コード１は、例えば、家庭用電気掃除機の電源プラグの引き出し、収納に使用されているような公知のリール機構によって巻き上げ、巻き下ろし自在とされ、図外ラッチを係合、解除することにより、コンセント２を上下方向の所望の位置に仮止めすることができる。例えば、ラッチを解除してリール機構の巻き上げ力により電源コード１を上方に巻き上げれば、コンセント２を凹溝部４内に格納することができる。
【００２０】
図３は、上記コンセント２を凹溝部４内に格納した状態を示す外観正面図である。図３に示されているように、キッチンキャビネットＣのワークトップの上に使用する電器製品がない場合は、コンセント２は、上記凹溝部４に格納され、飾り縁６で目隠しされる。このようにすることにより、目障りなコンセント２が視野の内にないため、システムキッチン全体をスッキリとしたデザインとすることができ、また、ワークトップの上で快適に調理作業をすることができる。
【００２１】
上記コンセント２は左右に移動自在とすることもできる。例えば、上記凹溝部４内を左右に移動するガイド機構を設け、このガイド機構によって上記コンセント２を吊り戸棚本体３の下方で左右移動自在とすることもできる。図４は、上記ガイド機構７を示す部分側断面図である。図４に示すように、ガイド機構７は、凹溝部４の長さ方向に沿って設けられたガイドレール７１とガイドロール７２とからなり、ガイドロール７２が凹溝部４内を左右に移動してコンセント２を左右の所望の位置に仮止めすることができる。すなわち、ガイド機構７に従動する電源コード１がガイド機構７と共に左右に移動し、コンセント２も左右に移動自在とされ、コンセント２を左右の所望の位置に仮止めすることができる。
【００２２】
図５は、図１に示したコンセント２を左側に移動させた状態を示す正面図である。図５に示すように、吊り戸棚本体３の下方で、キッチンキャビネットＣ上に電器製品を置く場合、その場所に追従してコンセント２を任意の位置に移動させ、電器製品を使用することができる。図６は、電器製品としてコーヒーメーカー９をキッチンキャビネットＣのワークトップの上に置いた状態を示す斜視図である。
【００２３】
図６に示すように、図外ガイド機構７で電源コード１を左右移動してコンセント２の位置を決め、図外リール機構のラッチの係合を解除し、コンセント２を引き下ろし、使用者の使い勝手のよい位置を選んでコンセント２を仮止めすることができる。そして、コーヒーメーカー９の電源プラグをコンセント２に挿入することにより、使用者は使い勝手よく、コーヒーメーカー９を使用することができる。
【００２４】
使用後はコーヒーメーカー９を片づけてリール機構のラッチを操作し、電源コード１を巻き上げることにより、キッチンキャビネットＣのワークトップを図３に示す状態にもどすことができる。なお、本実施形態においては、本発明にかかるコンセント可動吊り戸棚Ａをキッチンルームにおいて使用する場合について述べたが、キッチンルーム以外の場所でも使用可能である。このように、本発明は種々設計変更自在であり、特許請求の範囲を逸脱しない限り、本発明の技術的範囲に属する。
【図面の簡単な説明】
【００２５】
【図１】本発明にかかるコンセント可動吊り戸棚を示す外観正面図である。
【図２】上記コンセント可動吊り戸棚の概略構成を示す側断面図である。
【図３】図１に示すコンセントを格納した状態を示す外観正面図である。
【図４】ガイド機構を示す部分側断面図である。
【図５】図１に示すコンセントを左側に移動させた状態を示す正面図である。
【図６】電器製品をキッチンキャビネットの上に置いた状態を示す斜視図である。
【図７】キッチンに設けられる公知のコンセントを示す斜視図である。
【符号の説明】
【００２６】
Ａ          本発明にかかるコンセント可動吊り戸棚
Ｂ          公知の吊り戸棚
Ｃ          キッチンキャビネット
Ｗ          壁面
１          電源コード
２          コンセント
２ａ        公知のコンセント
３          吊り戸棚本体
３１        下面
４          凹溝部
５          シール材
６          飾り縁
７          ガイド機構
７１        ガイドレール
７２        ガイドロール
８          レンジフード
９          コーヒーメーカー
【図１】
2009028145.tif 000003
【図２】
2009028145.tif 000004
【図３】
2009028145.tif 000005
【図４】
2009028145.tif 000006
【図５】
2009028145.tif 000007
【図６】
2009028145.tif 000008
【図７】
2009028145.tif 000009